(57)【要約】【課題】  この発明は、協和性のある自然な高調波が得られ、自然な再生音が得られるようになる低音強調回路を提供することを目的とする。【解決手段】  複数チャンネルの入力音声信号を合成する第１加算器、上記第１の加算器によって合成された音声信号のうち、所定周波数帯域の信号のみを通過させる第１のバンドパスフィルタ、上記第１のバンドパスフィルタを通過した音声信号の偶数次数の高調波信号を生成する全波整流回路を備えており、上記第１のバンドパスフィルタの下限周波数が、上記全波整流回路によって生成される偶数次数の高調波信号のうち、隣合う次数の高調波信号の周波数間隔が、使用するスピーカの再生下限周波数から低音強調のために利用しようとする高調波の上限周波数までの周波数帯域の信号に対する臨界帯域幅以上となるような値に設定されている。【選択図】  図１
2005278158.tif 000002
【特許請求の範囲】
【請求項１】
複数チャンネルの入力音声信号を合成する第１加算器、
上記第１の加算器によって合成された音声信号のうち、所定周波数帯域の信号のみを通過させる第１のバンドパスフィルタ、
上記第１のバンドパスフィルタを通過した音声信号の偶数次数の高調波信号を生成する全波整流回路、ならびに
上記全波整流回路によって生成された高調波信号と上記各チャンネルの入力音声信号とに基づいて、各チャンネル毎に低音部が強調された出力信号を生成する出力信号生成回路を備えており、
上記第１のバンドパスフィルタの下限周波数が、上記全波整流回路によって生成される偶数次数の高調波信号のうち、隣合う次数の高調波信号の周波数間隔が、使用するスピーカの再生下限周波数から低音強調のために利用しようとする高調波の上限周波数までの周波数帯域の信号に対する臨界帯域幅以上となるような値に設定されていることを特徴とする低音強調回路。
【請求項２】
上記第１のバンドパスフィルタの上限周波数が、上記第１のバンドパスフィルタの下限周波数の２倍以下の値に設定されていることを特徴とする請求項１に記載の低音強調回路。
【請求項３】
上記出力信号生成回路は、
上記全波整流回路によって生成された高調波信号のうち、低音強調のために利用しようとする高調波の上限周波数を越える高周波数帯域の信号をカットするためのローパスフィルタ、
各チャンネル毎に設けられ、かつ上記ローパスフィルタを通過した高調波信号を、上記各チャンネルの入力音声信号にそれぞれ加算する複数の第２の加算器、
各チャンネル毎に設けられ、かつそのチャンネルに対応する上記第２の加算器の出力信号から使用するスピーカで再生できない低周波数帯域の信号をカットする複数のハイパスフィルタ、
各チャンネル毎に設けられ、かつそのチャンネルに対応する上記ハイパスフィルタを通過した信号のうち低周波数帯域の信号を増幅する複数の増幅器、ならびに
各チャンネル毎に設けられ、かつそのチャンネルに対応する上記ハイパスフィルタを通過した信号に、そのチャンネルに対応する上記増幅器の出力信号を合成する複数の第３加算器、
を備えていることを特徴とする請求項１および２のいずれかに記載の低音強調回路。
【請求項４】
上記出力信号生成回路は、
上記全波整流回路によって生成された高調波信号のうち、低音強調のために利用しようとする高調波の上限周波数を越える高周波数帯域の信号をカットするとともに、使用するスピーカで再生できない低周波数帯域の信号をカットする第２のバンドパスフィルタ、
各チャンネル毎に設けられ、かつそのチャンネルに対応する入力音声信号のうち、使用するスピーカで再生できない低周波数帯域の信号をカットするハイパスフィルタ、
各チャンネル毎に設けられ、かつそのチャンネルに対応する上記ハイパスフィルタを通過した音声信号に、上記第２のバンドパスフィルタを通過した高調波信号を加算する複数の第２の加算器、
各チャンネル毎に設けられ、かつそのチャンネルに対応する上記第２の加算器の出力信号のうち低周波数帯域の信号を増幅する複数の増幅器、ならびに
各チャンネル毎に設けられ、かつそのチャンネルに対応する上記第２の加算器の出力信号に、そのチャンネルに対応する上記増幅器の出力信号を合成する複数の第３の加算器、  を備えていることを特徴とする請求項１および２のいずれかに記載の低音強調回路。
【請求項５】
複数チャンネルの入力音声信号を合成する第１ステップ、
第１のバンドパスフィルタを用いて、上記第１ステップによって合成された音声信号のうち、所定周波数帯域の信号のみを抽出する第２ステップ、
上記第１のバンドパスフィルタを通過した音声信号の偶数次数の高調波信号を生成する第３ステップ、ならびに
上記第３ステップによって生成された高調波信号と上記各チャンネルの入力音声信号とに基づいて、各チャンネル毎に低音部が強調された出力信号を生成する第４ステップ、
をコンピュータに実行させるための低音強調処理プログラムであって、
上記第１のバンドパスフィルタの下限周波数が、上記第３ステップによって生成される偶数次数の高調波信号のうち、隣合う次数の高調波信号の周波数間隔が、使用するスピーカの再生下限周波数から低音強調のために利用しようとする高調波の上限周波数までの周波数帯域の信号に対する臨界帯域幅以上となるような値に設定されていることを特徴とする低音強調処理プログラム。
【請求項６】
上記第１のバンドパスフィルタの上限周波数が、上記第１のバンドパスフィルタの下限周波数の２倍以下の値に設定されていることを特徴とする請求項５に記載の低音強調処理プログラム。
【請求項７】
上記第４ステップは、
ローパスフィルタを用いて、上記第３ステップによって生成された高調波信号のうち、低音強調のために利用しようとする高調波の上限周波数を越える高周波数帯域の信号をカットする第５ステップ、
上記ローパスフィルタを通過した高調波信号を、上記各チャンネルの入力音声信号にそれぞれ加算する第６ステップ、
各チャンネル毎に、ハイパスフィルタを用いて、上記第６ステップによって得られた信号から、使用するスピーカで再生できない低周波数帯域の信号をカットする第７ステップ、
各チャンネル毎に、上記ハイパスフィルタを通過した信号のうち低周波数帯域の信号を増幅する第８ステップ、ならびに
各チャンネル毎に、上記ハイパスフィルタを通過した信号に上記第８ステップによって得られた信号を合成するの第９ステップ、
を備えていることを特徴とする請求項５および６のいずれかに記載の低音強調処理プログラム。
【請求項８】
上記第４ステップは、
第２のバンドパスフィルタを用いて、上記第３ステップによって生成された高調波信号のうち、低音強調のために利用しようとする高調波の上限周波数を越える高周波数帯域の信号をカットするとともに、使用するスピーカで再生できない低周波数帯域の信号をカットする第１０ステップ、
各チャンネル毎に、ハイパスフィルタを用いて、そのチャンネルに対応する入力音声信号のうち、使用するスピーカで再生できない低周波数帯域の信号をカットする第１１ステップ、
各チャンネル毎に、上記ハイパスフィルタを通過した音声信号に、上記第２のバンドパスフィルタを通過した高調波信号を加算する第１２ステップ、
各チャンネル毎に、上記第１２ステップによって得られた信号のうち低周波数帯域の信号を増幅する第１３ステップ、ならびに
各チャンネル毎に、上記第１２ステップによって得られた信号に、上記第１３ステップによって得られた信号を合成する第１４ステップ、
を備えていることを特徴とする請求項５および６のいずれかに記載の低音強調処理プログラム。
【発明の詳細な説明】
【技術分野】
【０００１】
この発明は、低音再生能力の低い小型スピーカ、ヘッドホンを使用する場合に低音感を高めることができる低音強調回路および低音強調処理プログラムに関する。
【背景技術】
【０００２】
基準周波数ｆの信号の高調波である２ｆ，３ｆ，４ｆ，…の信号からなる音を聴いた場合、基準周波数ｆの信号が含まれていなくても、その周波数ｆの音が再生されているように感じるという聴覚心理現象が知られている。
また、高調波の生成方法としては、各種の方法があるが、最も簡単な方法として、基準周波数の信号を全波整流することにより、偶数次数の高調波を生成する方法が知られている。
【０００３】
ところで、低音再生能力は、主にスピーカの容積によって制約を受ける。そのため、テレビなどで使用されている小型スピーカでは、十分な低音再生能力が得られない。この問題を解決するための方法として、高調波信号による聴覚心理現象により、スピーカが再生できない基準周波数信号を人間に感知させる方法がある。特開平０８−２３７８００号公報には、入力音声信号のうちスピーカ再生限界以下の低音域成分のみを全波整流することにより、上記低音域成分の偶数次数の高調波を生成して、生成された高調波のうち二次の高調波を増幅して入力音声信号に加算することにより、低音感を高める技術が開示されている。
【０００４】
しかしながら、この従来技術では、次のような問題があるため、低音が認識できたとしても、自然な音が得られない。
【０００５】
（１）通常の大型ＴＶに使用されているスピーカでも、再生下限周波数は１５０〜１８０Ｈｚ程度である。このため、楽器音の高調波に対する高調波も生成されるが、楽器音の高調波が再生されると、不自然な音となる。また、低い周波数の高調波が生成された場合、高調波どうしが不協和音となる。広い帯域の基準音に対する高調波が生成された場合、様々な高調波成分が混在し、低音部分の認識ができなくなる場合がある。
【０００６】
（２）音楽などで高調波のみを増幅して入力音声信号に加算した場合、不自然な音となる。また、全波整流により生成された高調波のエンベロープ特性は固定であり、自然な音が得られない。
【特許文献１】特開平０８−２３７８００号公報
【発明の開示】
【発明が解決しようとする課題】
【０００７】
この発明は、協和性のある自然な高調波が得られ、自然な再生音が得られるようになる低音強調回路および低音強調処理プログラムを提供することを目的とする。
【０００８】
また、この発明は、楽器音の基準波とその高調波の両方に対して２次高調波が生成されてしまうのを防止でき、自然な再生音が得られるようになる低音強調回路および低音強調処理プログラムを提供することを目的とする。
【０００９】
さらに、この発明は、高調波による違和感が抑えられる低音強調回路および低音強調処理プログラムを提供することを目的とする。
【課題を解決するための手段】
【００１０】
請求項１に記載の発明は、複数チャンネルの入力音声信号を合成する第１加算器、上記第１の加算器によって合成された音声信号のうち、所定周波数帯域の信号のみを通過させる第１のバンドパスフィルタ、上記第１のバンドパスフィルタを通過した音声信号の偶数次数の高調波信号を生成する全波整流回路、ならびに上記全波整流回路によって生成された高調波信号と上記各チャンネルの入力音声信号とに基づいて、各チャンネル毎に低音部が強調された出力信号を生成する出力信号生成回路を備えており、上記第１のバンドパスフィルタの下限周波数が、上記全波整流回路によって生成される偶数次数の高調波信号のうち、隣合う次数の高調波信号の周波数間隔が、使用するスピーカの再生下限周波数から低音強調のために利用しようとする高調波の上限周波数までの周波数帯域の信号に対する臨界帯域幅以上となるような値に設定されていることを特徴とする。
【００１１】
請求項２に記載の発明は、請求項１に記載の低音強調回路において、上記第１のバンドパスフィルタの上限周波数が、上記第１のバンドパスフィルタの下限周波数の２倍以下の値に設定されていることを特徴とする。
【００１２】
請求項３に記載の発明は、請求項１乃至２に記載の低音強調回路において、上記出力信号生成回路は、上記全波整流回路によって生成された高調波信号のうち、低音強調のために利用しようとする高調波の上限周波数を越える高周波数帯域の信号をカットするためのローパスフィルタ、各チャンネル毎に設けられ、かつ上記ローパスフィルタを通過した高調波信号を、上記各チャンネルの入力音声信号にそれぞれ加算する複数の第２の加算器、各チャンネル毎に設けられ、かつそのチャンネルに対応する上記第２の加算器の出力信号から使用するスピーカで再生できない低周波数帯域の信号をカットする複数のハイパスフィルタ、各チャンネル毎に設けられ、かつそのチャンネルに対応する上記ハイパスフィルタを通過した信号のうち低周波数帯域の信号を増幅する複数の増幅器、ならびに各チャンネル毎に設けられ、かつそのチャンネルに対応する上記ハイパスフィルタを通過した信号に、そのチャンネルに対応する上記増幅器の出力信号を合成する複数の第３加算器を備えていることを特徴とする。
【００１３】
請求項４に記載の発明は、請求項１乃至２に記載の低音強調回路において、上記出力信号生成回路は、上記全波整流回路によって生成された高調波信号のうち、低音強調のために利用しようとする高調波の上限周波数を越える高周波数帯域の信号をカットするとともに、使用するスピーカで再生できない低周波数帯域の信号をカットする第２のバンドパスフィルタ、各チャンネル毎に設けられ、かつそのチャンネルに対応する入力音声信号のうち、使用するスピーカで再生できない低周波数帯域の信号をカットするハイパスフィルタ、各チャンネル毎に設けられ、かつそのチャンネルに対応する上記ハイパスフィルタを通過した音声信号に、上記第２のバンドパスフィルタを通過した高調波信号を加算する複数の第２の加算器、各チャンネル毎に設けられ、かつそのチャンネルに対応する上記第２の加算器の出力信号のうち低周波数帯域の信号を増幅する複数の増幅器、ならびに各チャンネル毎に設けられ、かつそのチャンネルに対応する上記第２の加算器の出力信号に、そのチャンネルに対応する上記増幅器の出力信号を合成する複数の第３の加算器を備えていることを特徴とする。
【００１４】
請求項５に記載の発明は、複数チャンネルの入力音声信号を合成する第１ステップ、第１のバンドパスフィルタを用いて、上記第１ステップによって合成された音声信号のうち、所定周波数帯域の信号のみを抽出する第２ステップ、上記第１のバンドパスフィルタを通過した音声信号の偶数次数の高調波信号を生成する第３ステップ、ならびに上記第３ステップによって生成された高調波信号と上記各チャンネルの入力音声信号とに基づいて、各チャンネル毎に低音部が強調された出力信号を生成する第４ステップをコンピュータに実行させるための低音強調処理プログラムであって、上記第１のバンドパスフィルタの下限周波数が、上記第３ステップによって生成される偶数次数の高調波信号のうち、隣合う次数の高調波信号の周波数間隔が、使用するスピーカの再生下限周波数から低音強調のために利用しようとする高調波の上限周波数までの周波数帯域の信号に対する臨界帯域幅以上となるような値に設定されていることを特徴とする。
【００１５】
請求項６に記載の発明は、請求項５に記載の低音強調処理プログラムにおいて、上記第１のバンドパスフィルタの上限周波数が、上記第１のバンドパスフィルタの下限周波数の２倍以下の値に設定されていることを特徴とする。
【００１６】
請求項７に記載の発明は、請求項５乃至６に記載の低音強調処理プログラムにおいて、上記第４ステップは、ローパスフィルタを用いて、上記第３ステップによって生成された高調波信号のうち、低音強調のために利用しようとする高調波の上限周波数を越える高周波数帯域の信号をカットする第５ステップ、上記ローパスフィルタを通過した高調波信号を、上記各チャンネルの入力音声信号にそれぞれ加算する第６ステップ、各チャンネル毎に、ハイパスフィルタを用いて、上記第６ステップによって得られた信号から、使用するスピーカで再生できない低周波数帯域の信号をカットする第７ステップ、各チャンネル毎に、上記ハイパスフィルタを通過した信号のうち低周波数帯域の信号を増幅する第８ステップ、ならびに各チャンネル毎に、上記ハイパスフィルタを通過した信号に上記第８ステップによって得られた信号を合成するの第９ステップを備えていることを特徴とする。
【００１７】
請求項８に記載の発明は、請求項５乃至６に記載の低音強調処理プログラムにおいて、上記第４ステップは、第２のバンドパスフィルタを用いて、上記第３ステップによって生成された高調波信号のうち、低音強調のために利用しようとする高調波の上限周波数を越える高周波数帯域の信号をカットするとともに、使用するスピーカで再生できない低周波数帯域の信号をカットする第１０ステップ、各チャンネル毎に、ハイパスフィルタを用いて、そのチャンネルに対応する入力音声信号のうち、使用するスピーカで再生できない低周波数帯域の信号をカットする第１１ステップ、各チャンネル毎に、上記ハイパスフィルタを通過した音声信号に、上記第２のバンドパスフィルタを通過した高調波信号を加算する第１２ステップ、各チャンネル毎に、上記第１２ステップによって得られた信号のうち低周波数帯域の信号を増幅する第１３ステップ、ならびに各チャンネル毎に、上記第１２ステップによって得られた信号に、上記第１３ステップによって得られた信号を合成する第１４ステップを備えていることを特徴とする。
【発明の効果】
【００１８】
この発明によれば、協和性のある自然な高調波が得られ、自然な再生音が得られるようになる。
【００１９】
また、この発明によれば、楽器音の基準波とその高調波の両方に対して２次高調波が生成されてしまうのを防止でき、自然な再生音が得られるようになる。
【００２０】
さらに、この発明によれば、高調波による違和感が抑えられるようになる。
【発明を実施するための最良の形態】
【００２１】
以下、図面を参照して、この発明の実施例について説明する。
【実施例１】
【００２２】
〔１〕低音疑似再生装置の構成について説明
図１は、第１実施例である低音強調回路の構成を示している。
【００２３】
低音強調回路には、Ｌチャンネル信号（Ｌｃｈ  ｉｎ）とＲチャンネル信号（Ｒｃｈ  ｉｎ）とからなる音声信号が入力される。Ｌチャンネル信号は、遅延回路１Ｌおよび増幅器２Ｌを介して加算器３Ｌに送られる。また、Ｌチャンネル信号は、加算器１１にも送られる。Ｒチャンネル信号は、遅延回路１Ｒおよび増幅器２Ｒを介して加算器３Ｒに送られる。また、Ｒチャンネル信号は、加算器１１にも送られる。
【００２４】
加算器１１では、Ｌチャンネル信号とＲチャンネル信号とが加算される。加算器１１の出力は、所定周波数帯域の信号のみを通過させるバンドパスフィルタ（ＢＰＦ１）１２を介して全波整流回路１３に送られる。バンドパスフィルタ（ＢＰＦ１）１２の特性および機能については、後述する。全波整流回路１３は、バンドパスフィルタ（ＢＰＦ１）１２を通過した信号の偶数次数の高調波信号を生成する。全波整流回路１３によって生成された高調波信号は、周波数の高い成分をカットするためのローパスフィルタ（ＬＰＦ１）１４に送られる。
【００２５】
なお、任意の信号（sin θ) に対して全波整流を行えば、次式(1) で示すように、偶数次数の高調波が生成される。
【００２６】
abs[sinθ] ＝2/π+4/ π×｛(1/3) ×sin2θ−(1/15)×sin4θ+(1/35) ×sin6θ…｝
…(1) 
【００２７】
上記式(1) において、abs[A]は、A の絶対値を取ることを意味している。
【００２８】
ローパスフィルタ（ＬＰＦ１）１４から出力される信号は、増幅器１５Ｌを介して加算器３Ｌに送られる。また、ローパスフィルタ（ＬＰＦ１）１４から出力される信号は、増幅器１５Ｒを介して加算器３Ｒに送られる。
【００２９】
加算器３Ｌでは、増幅器２Ｌの出力信号（原音の信号）と増幅器１５Ｌの出力信号（高調波の信号）とが加算される。加算器３Ｌの出力信号は、周波数の低い成分をカットするためのハイパスフィルタ（ＨＰＦ）４Ｌに送られる。ハイパスフィルタ（ＨＰＦ）４Ｌの特性および機能については、後述する。ハイパスフィルタ（ＨＰＦ）４Ｌを通過した信号は、遅延回路５Ｌを介して加算器８Ｌに送られる。また、ハイパスフィルタ（ＨＰＦ）４Ｌを通過した信号は、周波数の高い成分をカットするためのローパスフィルタ（ＬＰＦ２）６Ｌおよび増幅器７Ｌを介して加算器８Ｌに送られる。ローパスフィルタ（ＬＰＦ２）６Ｌの特性および機能については、後述する。加算器８Ｌでは、遅延回路５Ｌの出力信号と増幅器７Ｌの出力信号とが加算され、Ｌチャンネルの出力信号（Ｌｃｈ  ｏｕｔ）として図示しないＬチャンネル用スピーカに出力される。
【００３０】
同様に、加算器３Ｒでは、増幅器２Ｒの出力信号（原音の信号）と増幅器１５Ｒの出力信号（高調波の信号）とが加算される。加算器３Ｒの出力信号は、周波数の低い成分をカットするためのハイパスフィルタ（ＨＰＦ）４Ｒに送られる。ハイパスフィルタ（ＨＰＦ）４Ｒを通過した信号は、遅延回路５Ｒを介して加算器８Ｒに送られる。また、ハイパスフィルタ（ＨＰＦ）４Ｒを通過した信号は、周波数の高い成分をカットするためのローパスフィルタ（ＬＰＦ２）６Ｒおよび増幅器７Ｒを介して加算器８Ｒに送られる。加算器８Ｒでは、遅延回路５Ｒの出力信号と増幅器７Ｒの出力信号とが加算され、Ｒチャンネルの出力信号（Ｒｃｈ  ｏｕｔ）として図示しないＲチャンネル用スピーカに出力される。
【００３１】
なお、上記各部は、ハードウエアで実現してもよいし、ソフトウエアで実現してもよい。
【００３２】
〔２〕各フィルタについての説明
【００３３】
〔２−１〕バンドパスフィルタ（ＢＰＦ１）１２についての説明
バンドパスフィルタ（ＢＰＦ１）１２は、Ｌチャンネル信号とＲチャンネル信号との合成信号から、所定周波数帯域の信号のみを通過させるフィルタである。
【００３４】
ところで、スピーカの再生下限周波数は１００Ｈｚ〜２００Ｈｚであるものが多い。また、全波整流回路１３によって生成される高調波信号のうち、低音強調のために利用する高調波の上限周波数は５００Ｈｚ〜６００Ｈｚ程度である。スピーカの再生下限周波数（１００Ｈｚ〜２００Ｈｚ）から、低音強調のために利用しようとする高調波の上限周波数（５００Ｈｚ〜６００Ｈｚ）までの周波数帯域の信号の臨界帯域幅は、約８０〜１００Ｈｚである。臨界帯域幅以下の周波数差を有する２つの音を聴いたとき、不協和音が生じることが知られている。また、その周波数差が小さいほど、その不協和性が強くなり、耳障りな音に聴こえる。
【００３５】
そこで、この実施例では、バンドパスフィルタ（ＢＰＦ１）１２の下限周波数を、スピーカの再生下限周波数から低音強調のために利用しようとする高調波の上限周波数までの周波数帯域の信号の臨界帯域幅の約１／２にあたる４５Ｈｚに設定している。このようにバンドパスフィルタ（ＢＰＦ１）１２の下限周波数を設定することにより、全波整流回路１３で生成される偶数次数の高調波信号のうち、隣合う次数の高調波信号の周波数間隔が上記臨界帯域幅に相当する９０Ｈｚ以上となり、不協和音が発生しなくなる。
【００３６】
また、一般的に楽器音には、高調波が元々含まれているため、バンドパスフィルタ（ＢＰＦ１）１２の上限周波数を高く設定すると、全波整流回路１３によって、楽器音の基準波とその高調波の両方に対して２次高調波が生成されてしまい、不自然な音が再生されてしまう。そこで、この実施例では、バンドパスフィルタ（ＢＰＦ１）１２の上限周波数として、バンドパスフィルタ（ＢＰＦ１）１２の下限周波数の２倍以下の値を設定している。具体的には、バンドパスフィルタ（ＢＰＦ１）１２の上限周波数を、バンドパスフィルタ（ＢＰＦ１）１２の下限周波数４５Ｈｚの２倍に相当する９０Ｈｚに設定している。
【００３７】
〔２−２〕ローパスフィルタ（ＬＰＦ１）１４についての説明（その１）
ローパスフィルタ（ＬＰＦ１）１４は、全波整流回路１３によって生成された高調波信号のうち、周波数の高い成分をカットするために設けられている。ローパスフィルタ（ＬＰＦ）１４のカットオフ周波数は、ローパスフィルタ（ＬＰＦ２）６Ｌ、６Ｒのカットオフ周波数以上に設定されている。
【００３８】
〔２−３〕ハイパスフィルタ（ＨＰＦ）４Ｌ、４Ｒについての説明
ハイパスフィルタ（ＨＰＦ）４Ｌ，４Ｒは、原音の信号に低音強調用の高調波信号が加算された信号のうち、使用するスピーカで再生できない帯域の低音信号をカットするために設けられている。なお、ハイパスフィルタ（ＨＰＦ）４Ｌ、４Ｒは、増幅器７Ｌ，７Ｒの増幅による信号の飽和を抑える働きもある。
【００３９】
〔２−４〕ローパスフィルタ（ＬＰＦ２）６Ｌ、６Ｒについての説明
ローパスフィルタ（ＬＰＦ２）６Ｌ、６Ｒのカットオフ周波数は、ローパスフィルタ（ＬＰＦ１）１４のカットオフ周波数より小さな値に設定されている。
【００４０】
ローパスフィルタ（ＬＰＦ２）６Ｌ，６Ｒは、ハイパスフィルタ（ＨＰＦ）４Ｌ，４Ｒを通過した信号のうち、周波数の高い成分をカットする。ローパスフィルタ（ＬＰＦ２）６Ｌ，６Ｒを通過した信号は増幅器７Ｌ，７Ｒで増幅された後、ハイパスフィルタ（ＨＰＦ）４Ｌ，４Ｒを通過した信号と合成される。
【００４１】
つまり、原音の信号と低音強調用の高調波信号との合成信号のうち、ローパスフィルタ（ＬＰＦ２）６Ｌ、６Ｒで決定される周波数帯域の信号が増幅され、増幅された信号（強調信号）が原音の信号に合成されている。このように、低音強調用の高調波信号だけ増幅するのではなく、原音の信号と低音強調用の高調波信号との合成信号のうちの所定帯域成分が増幅されているので、低音強調用の高調波信号だけ増幅する場合に比べて、高調波による違和感が抑えられ、波及効果として迫力のある重低音感を高めることができる。
【００４２】
〔２−５〕ローパスフィルタ（ＬＰＦ１）１４についての説明（その２）
ところで、必要以上に高次の高調波までを強調すると、耳障りな音になるため、バンドパスフィルタ（ＢＰＦ１）１２の上限周波数である９０Ｈｚの基準周波数に対して、ｎ次、（ｎ＋２）次の２本の高調波が通過できるように、ローパスフィルタ（ＬＰＦ１）１４のカットオフ周波数を設定している。ｎは、９０Ｈｚの基準周波数に対する偶数次数の高調波のうち、スピーカの再生下限周波数以上の帯域で最も周波数が低い高調波に対応する次数とする。４５Ｈｚの信号に対しては、最大４本の高調波がローパスフィルタ（ＬＰＦ１）１４を通過する。
【００４３】
例えば、２００Ｈｚ以下の信号が再生できないスピーカを使用する場合、バンドパスフィルタ（ＢＰＦ１）１２を通過する上限周波数９０Ｈｚの信号に対する高調波は、１８０Ｈｚ，３６０Ｈｚ，５４０Ｈｚ，…であり、スピーカで再生可能な４次と６次の高調波があれば９０Ｈｚの基準音を認識できるため、ローパスフィルタ（ＬＰＦ１）１４のカットオフ周波数を５４０Ｈｚとする。
【００４４】
この場合、バンドパスフィルタ（ＢＰＦ１）１２の下限周波数４５Ｈｚの信号に対する高調波は、９０Ｈｚ，１８０Ｈｚ，２７０Ｈｚ，３６０Ｈｚ，４５０Ｈｚ，５４０Ｈｚ，…であり、スピーカで再生可能な６次、８次、１０次、１２の高調波がローパスフィルタ（ＬＰＦ１）１４を通過することになる。
【００４５】
なお、表１に、使用するスピーカのタイプ（再生下限周波数）に対する上記各種フィルタの特性を示す。表１において、ＢＰＦ１はバンドパスフィルタ１２の下限周波数および上限周波数を、ＬＰＦ１はローパスフィルタ１３のカットオフ周波数を、ＨＰＦはハイパスフィルタ４Ｌ、４Ｒのカットオフ周波数を、ＬＰＦ２はローパスフィルタ６Ｌ、６Ｒのカットオフ周波数を、それぞれ示している。
【００４６】
【表１】
2005278158.tif 000003
【００４７】
上記実施例によれば、バンドパスフィルタ（ＢＰＦ１）１２によって、高調波が生成される基準信号の周波数帯域を上述したような特定帯域に設定したため、協和性のある自然な高調波が得られ、自然な再生音が得られるようになる。また、楽器音の基準波とその高調波の両方に対して２次高調波が生成されてしまうのを防止でき、自然な再生音が得られるようになる。
【００４８】
また、原音の信号と低音強調用の高調波信号とを合成した後に、ローパスフィルタ（ＬＰＦ２）６Ｌ、６Ｒで決定される周波数帯域の信号を増幅し、増幅した信号（強調信号）を原音の信号に合成しているので、つまり、高調波を原音と一緒に強調しているので、高調波による違和感が抑えられる。この結果、基準音（低音）の認識を強めることができる。
【実施例２】
【００４９】
図２は、第２実施例である強調回路の構成を示している。
【００５０】
第２実施例では、次の点が第１実施例と異なっている。
【００５１】
（１）ハイパスフィルタ（ＨＰＦ）４Ｌ、４Ｒを、加算器３Ｌ、３Ｒの後段ではなく、加算器３Ｌ、３Ｒの前段に配置したこと。それに伴って、全波整流回路１３の後段に設けられていたローパスフィルタ（ＬＰＦ）１４の代わりに、ローパスフィルタ（ＬＰＦ１）１４とハイパスフィルタ（ＨＰＦ）４Ｌ、４Ｒの両方の機能を備えたバンドパスフィルタ（ＢＰＦ２）１６を用いたこと。
【００５２】
（２）原音の特定の帯域のみが強調されることによる違和感を更に緩和するために、ローパスフィルタ（ＬＰＦ２）６Ｌ（６Ｒ）と増幅器７Ｌ（７Ｒ）との直列回路に並列に、ローパスフィルタ（ＬＰＦ３）９Ｌ（９Ｒ）と増幅器１０Ｌ（１０Ｒ）との直列回路が設けられていること。この場合のローパスフィルタ（ＬＰＦ２）６Ｌ（６Ｒ）とローパスフィルタ（ＬＰＦ３）９Ｌ（９Ｒ）の特性は、例えば、表２のように設定される。また、ローパスフィルタ（ＬＰＦ２）６Ｌ（６Ｒ）を通過した信号を増幅する増幅器７Ｌ（７Ｒ）のゲインをＧ１、ローパスフィルタ（ＬＰＦ３）９Ｌ（９Ｒ）を通過した信号を増幅する増幅器１０Ｌ（１０Ｒ）のゲインをＧ２とすると、Ｇ１＞Ｇ２に設定される。
【００５３】
【表２】
2005278158.tif 000004
【図面の簡単な説明】
【００５４】
【図１】第１実施例である低音強調回路の構成を示すブロック図である。
【図２】第２実施例である低音強調回路の構成を示すブロック図である。
【符号の説明】
【００５５】
１Ｌ，１Ｒ  遅延回路
２Ｌ，２Ｒ  増幅器
３Ｌ，３Ｒ  加算器
１５Ｌ，１５Ｒ  増幅器
４Ｌ，４Ｒ  ハイパスフィルタ（ＨＰＦ）
５Ｌ，５Ｒ  遅延回路
６Ｌ，６Ｒ  ローパスフィルタ（ＬＰＦ２）
７Ｌ，７Ｒ  増幅器
８Ｌ，８Ｒ  加算器
９Ｌ，９Ｒ  ローパスフィルタ（ＬＰＦ３）
１０Ｌ，１０Ｒ  増幅器
１１  加算器
１２  バンドパスフィルタ（ＢＰＦ１）
１３  全波整流回路
１４  ローパスフィルタ（ＬＰＦ１）
１５Ｌ，１５Ｒ  増幅器
１６  バンドパスフィルタ（ＢＰＦ２）
【図１】
2005278158.tif 000005
【図２】
2005278158.tif 000006